(57)【特許請求の範囲】
【請求項１】
他装置カラープロファイルと当該他装置カラープロファイルで色変換された有彩色現像剤像データと黒色現像剤の濃度でドットパターンが表現される黒色現像剤像データとを含む画像データを取得する取得部と、
前記取得部が取得した画像データのヘッダデータからジョブ情報を抽出し、前記画像データにドットパターンが含まれているか否かを判定し、ドットパターンが含まれている場合に、さらに、前記ヘッダデータから調色情報を抽出し、当該調色情報に自装置カラープロファイルが記述されているか否かを判定する判別処理部と、
前記判別処理部が前記自装置カラープロファイルが記述されていないと判定した場合に、前記有彩色現像剤像データを、前記画像データから抽出した他装置カラープロファイルを用いて均等色空間に色変換して、均等色空間データを取得する第１色変換処理部と、
前記均等色空間データを、自装置カラープロファイルを用いて色変換して、有彩色現像剤像変換データを取得する第２色変換処理部と、
前記有彩色現像剤像変換データと前記取得部が取得した黒色現像剤像データとを合成した合成画像データを生成する合成処理部と、
前記合成処理部で合成された合成画像を記録媒体に形成する画像形成部と
を備えることを特徴とする画像形成装置。
【請求項２】
前記取得部が取得した画像データは、
前記ドットパターンが前記黒色現像剤像データ（Ｋ）で表現された画像データと、前記ドットパターン以外の前記有彩色現像剤像データ（ＣＭＹ）で表現された画像データとからなることを特徴とする請求項１に記載された画像形成装置。
【請求項３】
前記ドットパターンの画像データは、アノト（登録商標）パターンを含むデータであり、前記黒色現像剤はカーボンを含むことを特徴とする請求項２に記載された画像形成装置。
【発明の詳細な説明】
【技術分野】
【０００１】
本発明は、画像形成装置に関し、特に、画像形成装置に、自装置以外の画像形成装置のカラープロファイルを用いて色変換した画像データが入力されて、その画像データから画像を形成する画像形成装置に関する。
【背景技術】
【０００２】
従来、ドットパターン（アノト（登録商標）パターン）が印刷された紙などの記録媒体面上に、専用のデジタルペン（パターン読取部）で書いた文字や図形などがデジタルデータ（ストロークデータ）に変換されるアノト（登録商標）機能がある。
このアノト（登録商標）機能には、記録媒体面上に印刷された「ドットパターンを含む画像」から、専用のデジタルペンに備えられたパターン読取部が赤外線を用いて、記録媒体面上のカーボンを含有する黒色のトナーで印刷されたドットパターンを読み取ることで、記録媒体面上の位置を検出する技術がある（特許文献１）。
【０００３】
そのため、画像形成装置により、記録媒体面上に、「ドットパターンの画像」（黒色現像剤像）はカーボンを含有する黒色のトナー（黒色現像剤）で印刷され、一方、文字や罫線などの「ドットパターン以外の画像」はカーボンを含まない「Ｃ（Cyan）」、「Ｍ（Magenta）」、「Ｙ（Yellow）」の３色のトナー（有彩色現像剤）で印刷される。ここで、ドットパターン以外の画像に含まれる黒色は、ＣＭＹの原色を混色した黒色で印刷される。
【０００４】
ここで、「ドットパターン以外の画像」は、ユーザがモニタを介して視認している画像（映像）であり、ユーザは、「ドットパターン以外の画像」を、「ＲＧＢ」で表現された色で視認している。ここで、モニタは、ＬＣＤ（Liquid Crystal Display）などの画面表示装置であり、画像形成装置と通信可能に接続されたＰＣ（Personal Computer）などのコンピュータが備えるものである。このコンピュータは、画像形成装置へ「ドットパターンを含む画像」の画像データ（印刷ジョブデータ）を送信する画像データ送信装置である。
【０００５】
この「ドットパターン以外の画像」を、画像形成装置が記録媒体面上に印刷するためには、モニタに映し出されている「ＲＧＢ」で表現される色を「ＣＭＹＫ」で表現し換える必要がある。しかしながら、「Ｋ」は「ドットパターンの画像データ」を印刷するために用いられるため、「ドットパターン以外の画像データ」では、「ＲＧＢ」で表現される色を「ＣＭＹ」で表現し換える。つまり、「ＲＧＢ」から「ＣＭＹ」に調色する必要がある。このとき、まず、「ＲＧＢ」で表現される色が、「Ｌａｂ」の均等色空間に変換されて、明度や彩度が調整される。そして、「ＣＭＹ」（ＣＭＹ表色系）で表現される色に変換される。
【０００６】
ここで、画像形成装置それぞれで、例えばプリンタの機種（メーカや型番など）が異なる場合、画像データ送信装置は、各画像形成装置用の色表現偏差（カラープロファイル）を使って調色した画像データを、該当する画像形成装置に送信する。例えば、画像データ送信装置は、機種αカラープロファイルを用いて「ＲＧＢ」から「ＣＭＹ」に調色した画像データを、画像形成装置Ａに送信する。そして、機種βカラープロファイルを用いて「ＲＧＢ」から「ＣＭＹ」に調色した画像データを、画像形成装置Ｂに送信する。これにより、画像形成装置Ａが記録媒体に印刷した画像の色と、画像形成装置Ｂが記録媒体に印刷した画像の色とは、ほぼ同じ色となる。
このように、カラープロファイルを用いるのは、有彩色現像剤像を記録媒体に形成する際に、各画像形成装置で色相や彩度がことなるため、使用される「Ｃ」、「Ｍ」、「Ｙ」の３色のトナー（有彩色現像剤）の量が異なるためである。つまり、調色する処理では、画像形成装置それぞれのカラープロファイルを用いて、「ＲＧＢ」から「ＣＭＹ」に調色する必要がある。
【０００７】
以上より、画像形成装置は、画像データ（印刷ジョブデータ）の送信元であるＰＣ（Personal Computer）などの画像データ送信装置と通信可能に接続される。そして、画像データ送信装置は、「ドットパターンを含む画像データ」を画像形成装置に送信する際に、「ＲＧＢ」で表現される「ドットパターンを含む画像データ」から、「ドットパターンの画像データ」と「ドットパターン以外（文字や罫線など）の画像データ」との２つのデータを生成する。このとき、データ送信先の画像形成装置のカラープロファイルを考慮して、「ドットパターンの画像データ」を「Ｋ」とし、「ドットパターン以外の画像データ」を「ＣＭＹ」とする。そして、画像データ送信装置は、これら調色後の「ドットパターンの画像データ」（黒色現像剤像データ）および「ドットパターン以外の画像データ」（有彩色現像剤像データ）の２つのデータを画像形成装置に送信している。
【先行技術文献】
【特許文献】
【０００８】
【特許文献１】特開２００９−９９１２９号公報
【発明の概要】
【発明が解決しようとする課題】
【０００９】
しかしながら、従来の画像形成装置では、他のジョブで長時間ビジー状態であったり、トナーや記録媒体などの消耗品が不足していたりして、画像形成装置Ｂ（他装置）が利用できない場合がある。この場合、第１の方法として、画像データ送信装置にて、画像形成装置Ｂの「機種βカラープロファイル」を用いて「ＲＧＢ」から「ＣＭＹ」に調色した「ドットパターン以外の画像データ」を廃棄して、新たに、画像形成装置Ａ（自装置）の「機種αカラープロファイル」を用いて「ＲＧＢ」から「ＣＭＹ」に調色した「ドットパターン以外の画像データ」を生成する方法があるが、データを生成し直す手順が必要であり、不便であった。
また、第２の方法として、画像データ送信元の画像データ送信装置から、画像形成装置Ｂ（他装置）の「機種βカラープロファイル」を用いて「ＲＧＢ」から「ＣＭＹ」に調色した「ドットパターンの画像データ」（黒色現像剤像データ）および「ドットパターン以外の画像データ」（有彩色現像剤像データ）の２つのデータを、画像形成装置Ａ（自装置）に送信する方法がある。しかし、この「ドットパターン以外の画像データ」（有彩色現像剤像データ）は、画像形成装置Ａの「機種αカラープロファイル」ではなく、「機種βカラープロファイル」を用いて「ＲＧＢ」から「ＣＭＹ」に調色されているため、画像形成装置Ａにより記録媒体に印刷された画像の色は、画像形成装置Ｂにより記録媒体に印刷された画像の色と異なるという問題点がある。
【００１０】
本発明は、以上のような問題を解決するためになされたものであり、取得した画像データが他装置カラープロファイルで色変換されたものであっても、他装置が記録媒体に形成した画像の色とほぼ同じ色で、画像を記録媒体に形成する画像形成装置を提供することを課題とする。
【課題を解決するための手段】
【００１１】
前記課題を解決するために、本発明の画像形成装置は、他装置カラープロファイルと当該他装置カラープロファイルで色変換された有彩色現像剤像データと黒色現像剤の濃度でドットパターンが表現される黒色現像剤像データとを含む画像データを取得する取得部と、前記取得部が取得した画像データのヘッダデータからジョブ情報を抽出し、前記画像データにドットパターンが含まれているか否かを判定し、ドットパターンが含まれている場合に、さらに、前記ヘッダデータから調色情報を抽出し、当該調色情報に自装置カラープロファイルが記述されているか否かを判定する判別処理部と、前記判別処理部が前記自装置カラープロファイルが記述されていないと判定した場合に、前記有彩色現像剤像データを、前記画像データから抽出した他装置カラープロファイルを用いて均等色空間に色変換して、均等色空間データを取得する第１色変換処理部と、前記均等色空間データを、自装置カラープロファイルを用いて色変換して、有彩色現像剤像変換データを取得する第２色変換処理部と、前記有彩色現像剤像変換データと前記取得部が取得した黒色現像剤像データとを合成した合成画像データを生成する合成処理部と、前記合成処理部で合成された合成画像を記録媒体に形成する画像形成部とを備える構成とした。
【００１２】
取得部で取得した有彩色現像剤像データを、この有彩色現像剤像データの有彩色現像剤の色に色変換した他装置カラープロファイルを用いて、均等色空間データに変換する。そして、変換された均等色空間データを自装置カラープロファイルを用いて、有彩色現像剤像変換データに変換する。このため、この変換後の有彩色現像剤像変換データから形成される有彩色現像剤像と、取得部が自装置カラープロファイルで色変換された有彩色現像剤像データを含む画像データを取得したときの、その有彩色現像剤像データから形成される有彩色現像剤像とは、略同一の有彩色現像剤像が記録媒体に形成される。
なお、取得部で取得した黒色現像剤像データを用いて黒色現像剤像は形成される。
【発明の効果】
【００１３】
本発明によれば、取得部が取得した画像データが他装置カラープロファイルで色変換されたものであっても、他装置が記録媒体に形成した画像の色とほぼ同じ色で、画像を記録媒体に形成する画像形成装置を提供することを課題とする。
【図面の簡単な説明】
【００１４】
【図１】第１の実施形態に係る画像形成装置を備える画像形成システムにおける、画像データ送信装置と複数の画像形成装置との接続関係と、カラープロファイルと画像が形成された記録媒体との関係とを示す図である。
【図２】第１の実施形態に係る画像形成装置の構成を示す図である。
【図３】通信部が受信する印刷ジョブデータの一例を示す図である。
【図４】画面表示部が表示する警告画面の一例を示す図である。
【図５】画面表示部が表示するエラー表示画面の一例を示す図である。
【図６】第１の実施形態に係る画像形成装置の画像形成処理動作のフローチャートである。
【図７】第１の実施形態に係る画像形成装置の色変換処理動作のフローチャートである。
【図８】図７に続く第１の実施形態に係る画像形成装置の色変換処理動作のフローチャートである。
【図９】第１の実施形態に係る画像形成装置の画像表示処理動作のフローチャートである。
【図１０】第２の実施形態に係る画像形成装置の構成を示す図である。
【図１１】通信部が受信する印刷ジョブデータの一例を示す図である。
【図１２】第２の実施形態に係る画像形成装置の色変換処理動作のフローチャートである。
【図１３】図１２に続く第２の実施形態に係る画像形成装置の色変換処理動作のフローチャートである。
【発明を実施するための形態】
【００１５】
以下、図面を参照して、第１の実施形態につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１６】
＜第１の実施形態＞
［画像形成装置の構成］
図１は、第１の実施形態に係る画像形成装置を備える画像形成システムの構成を示す図である。図１を用いて、本発明の概要を説明する。
ＰＣ（Personal Computer）などのコンピュータである画像データ送信装置２が備えるＬＣＤ（Liquid Crystal Display）などの画像表示部２ａの画面には、ドットパターンデータの画像と、ドットパターン以外の帳票などのカラー描画データの画像とが、ＲＧＢで色が表現されて表示されている。
ここで、画像データ送信装置２は、ドットパターンデータを「Ｋ」で色を表現し、カラー描画データを「ＣＭＹ」で色を表現して、ドットパターンデータとカラー描画データとを含む画像データを画像形成装置１（１Ａ，１Ｂ，１Ｃ，・・・）に送信する。
【００１７】
画像データ送信装置２が画像形成装置１Ａのカラープロファイル（機種αカラープロファイル）で色変換した画像データを、画像形成装置１Ａに送信した場合、画像形成装置１Ａは、画像表示部２ａの画面に表示される画像と同じ色で、記録媒体に画像を形成（印刷）することができる。
一方、画像データ送信装置２が画像形成装置１Ｂのカラープロファイル（機種βカラープロファイル）で色変換した画像データを、画像形成装置１Ａに送信した場合、画像形成装置１Ａは「機種αカラープロファイル」で色変換された画像データではないため、画像表示部２ａの画面に表示される画像と同じ色で、記録媒体に画像を形成（印刷）することができない。
【００１８】
そのため、本発明の画像形成装置は、画像データ送信装置２が「画像形成装置１Ｂのカラープロファイル」で色変換した画像データを、画像形成装置１Ａに送信した場合であっても、画像形成装置１Ａは「画像形成装置１Ｂのカラープロファイル」および「画像形成装置１Ａのカラープロファイル」を用いることで、画像データ送信装置２が「画像形成装置１Ｂのカラープロファイル」で色変換した画像データを、画像形成装置１Ａは、一旦「画像形成装置１Ｂのカラープロファイル」を用いて色変換前の画像データに戻してから、「画像形成装置１Ａのカラープロファイル」を用いて再度色変換する。
これにより、画像データ送信装置２が「画像形成装置１Ｂのカラープロファイル」で色変換した画像データを画像形成装置１Ａが受信した場合に、画像形成装置１Ｂが記録媒体に形成する画像と同じ色で、画像形成装置１Ａは記録媒体に画像を形成（印刷）することができる。
【００１９】
［画像形成装置の構成］
図２は、第１の実施形態に係る画像形成装置の構成を示す図である。図１で示したように、画像形成装置１は、画像データ送信装置２と通信可能に接続されており、受信データとして、例えば、所定のカラープロファイルで色変換された画像データが入力される。
画像形成装置１は、画像形成装置１全体を制御する制御部１０と、画像データ送信装置２と接続してデータを受信する通信部２０と、データを記憶する記憶部３０と、紙などの媒体に画像を形成する画像形成部４０と、タッチパネル６０（操作入力部６１、画面表示部６２）とを備える。
画像形成装置１は、例えば、電子写真記録方式のプリンタ、ファクシミリ装置、複写機、ＭＦＰ（Multifunction Peripheral：多機能周辺装置）などであるが、いかなる種類の画像形成装置であってもよい。
【００２０】
（通信部２０）
通信部２０は、画像データ送信装置２から受信したデータを一旦記憶部３０（後記する受信データ記憶部３１）に記憶させる処理部である。
この通信部２０は、受信したデータが印刷ジョブデータである場合、記憶部３０に印刷ジョブデータを記憶させたことの記憶完了通知を制御部１０に出力する。
ここで、第１の実施形態における画像データ送信装置２は、図３に示すような、印刷ジョブデータを送信するものである。印刷ジョブデータについての詳細な説明は後記する。
【００２１】
（記憶部３０）
記憶部３０は、受信データ記憶部３１と、カラープロファイル記憶部３２と、ディスプレイリスト記憶部３３とを備える。この記憶部３０は、ＲＯＭや、ＲＡＭ、ＨＤＤなどにより構成される。
（受信データ記憶部３１）
受信データ記憶部３１は、通信部２０が受信したデータを記憶する記憶部である。受信データ記憶部３１には、例えば、印刷ジョブデータが記憶される。
【００２２】
（カラープロファイル記憶部３２）
カラープロファイル記憶部３２は、予めカラープロファイルを記憶する記憶部である。ここで、カラープロファイル記憶部３２には、画像データ送信装置２が通信可能に接続する画像形成装置１すべてのカラープロファイルが記憶されているものとする。
例えば、画像形成装置１Ａのカラープロファイル記憶部３２には、従来の自装置（画像形成装置１Ａ）の既存カラープロファイル３２０の他に、複数の外部カラープロファイル３２１（外部カラープロファイル３２１Ｂ，外部カラープロファイル３２１Ｃ，・・・）（他装置カラープロファイル）と、内部カラープロファイル３２２（自装置カラープロファイル）とが記憶されている。ここで、図１の「機種αカラープロファイル」が内部カラープロファイル３２２に該当し、「機種βカラープロファイル」や「機種γカラープロファイル」が外部カラープロファイル３２１に該当する。
【００２３】
（既存カラープロファイル３２０）
既存カラープロファイル３２０は、外部装置のカラープロファイルにより「ＲＧＢ」で表現された色データを、「ＣＭＹＫ」に表現し直すために参照されるデータファイルである。一般的には「ＲＧＢ」から「Ｌａｂ」の均等色空間に変換してから「ＣＭＹＫ」に表現される。
【００２４】
（外部カラープロファイル３２１）
外部カラープロファイル３２１（他装置カラープロファイル）は、外部装置のカラープロファイルによりＣＭＹ表色系で表現された色データを、均等色空間（Ｌａｂ表色系）に表現し直すために参照されるデータファイルである。カラープロファイル記憶部３２には、画像形成装置１Ｂの外部カラープロファイル３２１Ｂや、画像形成装置１Ｃの外部カラープロファイル３２１Ｃなどが記憶されている。
【００２５】
（内部カラープロファイル３２２）
内部カラープロファイル３２２（自装置カラープロファイル）は、均等色空間（Ｌａｂ表色系）で表現された色データを、ＣＭＹ表色系で表現しなおすために参照されるデータファイルである。
【００２６】
（ディスプレイリスト記憶部３３）
ディスプレイリスト記憶部３３は、後記する制御部１０により、色変換処理後のディスプレイリストデータ（中間データ）を記憶する記憶部である。
【００２７】
（制御部１０）
制御部１０は、画像形成処理を実行する処理部であり、判別処理部１１と、第１色変換処理部１２と、第２色変換処理部１３と、ディスプレイリスト生成部１４と、画像生成部１５と、画面処理部１６と、既存画像処理部１７とを備えて構成される。
なお、制御部１０は、図示を省略したＣＰＵ（Central Processing Unit）、ＲＯＭ（Read Only Memory）、ＲＡＭ（Random Access Memory）、ＨＤＤ（Hard Disc Drive）などを備えた一般的なコンピュータで構成することができ、コンピュータを前記した各部として機能させるプログラムにより実現することができる。
【００２８】
（既存画像処理部１７）
既存画像処理部１７は、自装置（画像形成装置１Ａ）の既存カラープロファイル３２０をカラープロファイル記憶部３２から抽出して、ＲＧＢで表現された色を、抽出した既存カラープロファイル３２０を参照して、ＣＭＹＫに表現し直す。以上の処理を行うことで、第１色変換処理部１２は、印刷ジョブデータに含まれるページデータすべての色をＣＭＹＫで表現する。
【００２９】
（判別処理部１１）
判別処理部１１は、通信部２０から記憶完了通知を取得したことを契機に、受信データ記憶部３１から印刷ジョブデータを取得する。
ここで、印刷ジョブデータについて、図３を用いて説明する。図３は、通信部２０が受信する印刷ジョブデータの一例である。
【００３０】
《印刷ジョブデータ》
図３に示すように、印刷ジョブデータには、ヘッダデータと１以上のページデータとが含まれる。
ヘッダデータには、ジョブ情報および調色情報が記述されている。ジョブ情報は、この印刷ジョブデータにドットパターンデータが含まれているか否かの情報であり、ドットパターンデータが含まれていれば「ドットパターン有」が記述されており、一方、ドットパターンデータが含まれていなければ「ドットパターン無」が記述されている。また、調色情報は、この印刷ジョブデータが、いずれのカラープロファイルを用いて色変換が行われたか、一つのカラープロファイルを決める識別情報である。
【００３１】
ここで、ジョブ情報が「ドットパターン有」の場合、ページデータには、ドットパターンデータと、ドットパターン以外の帳票画像データとが含まれる。ここで、１ページ目の帳票画像データおよびドットパターンデータと、２ページ目の帳票画像データおよびドットパターンデータとの間には、ページ区切りデータが記述されており、容易にページが変わることを判定することができる。また、最終ページ目の帳票画像データおよびドットパターンデータとの後ろには、データ終了を示す記述が有る。これにより、印刷ジョブデータの終了を判定することができる。
【００３２】
再び図２に戻り、判別処理部１１について説明する。
まず、判別処理部１１は、取得した印刷ジョブデータのヘッダデータからジョブ情報を抽出し、ドットパターンの有無を判定する（ドットパターン含有判定処理）。次に、ヘッダデータから調色情報を抽出し、調色情報に自装置（画像形成装置１Ａ）の内部カラープロファイル３２２が記述されているか否かを判定する（カラープロファイル判定処理）。
【００３３】
（ドットパターン含有判定処理）
ドットパターン含有判定処理の結果、ドットパターンが含まれていない場合は、判別処理部１１は、既存画像処理部１７に処理を移行する。これにより、既存画像処理部１７が一般的な画像形成処理を行う。本発明において特に記載すべきことではないため説明を省略する。
一方、ドットパターン含有判定処理の結果、ドットパターンが含まれている場合は、判別処理部１１は、カラープロファイル判定処理を実行する。
【００３４】
（カラープロファイル判定処理）
カラープロファイル判定処理の結果、カラープロファイルが自装置（画像形成装置１Ａ）のカラープロファイルである場合、つまり、内部カラープロファイル３２２である場合、判別処理部１１は、ディスプレイリスト生成部１４に印刷ジョブデータを出力する。
一方、カラープロファイル判定処理の結果、カラープロファイルが自装置（画像形成装置１Ａ）のカラープロファイルではない場合、つまり、他装置（画像形成装置１Ｂや画像形成装置１Ｃなど）のカラープロファイル（外部カラープロファイル３２１）である場合、判別処理部１１は、第１色変換処理部１２に印刷ジョブデータを出力する。
【００３５】
（第１色変換処理部１２）
第１色変換処理部１２は、外部カラープロファイル３２１を参照して、帳票画像データに含まれる色情報を変換する処理部である。
まず、第１色変換処理部１２は、印刷ジョブデータのヘッダデータに記述された調色情報に基づき、カラープロファイル記憶部３２から外部カラープロファイル３２１を抽出する。また、第１色変換処理部１２は、印刷ジョブデータのページデータ毎に、帳票画像データを抽出する。ここで、調色情報に、画像形成装置１Ｂのカラープロファイルが記述されていれば、画像形成装置１Ｂの外部カラープロファイル３２１Ｂを抽出する。
【００３６】
次に、第１色変換処理部１２は、帳票画像データに含まれるＣＭＹ表色系で表現された色を、抽出した外部カラープロファイル３２１（３２１Ｂ）を参照して、均等色空間（Ｌａｂ表色系）に表現し直すという色変換を行う。以上の処理を行うことで、第１色変換処理部１２は、印刷ジョブデータに含まれるページデータすべての帳票画像データの色を均等色空間で表現する。
そして、第１色変換処理部１２は、この均等色空間で色を表現し直した帳票画像データと、この帳票画像データを抽出したページデータとを第２色変換処理部１３に出力する。
【００３７】
ここで、カラープロファイル記憶部３２に目的の外部カラープロファイル３２１（３２１Ｂ）がなかった場合、第１色変換処理部１２は、外部カラープロファイル３２１（３２１Ｂ）がない旨のデータおよび印刷ジョブデータを、画面処理部１６に出力する。
【００３８】
（第２色変換処理部１３）
第２色変換処理部１３は、内部カラープロファイル３２２を参照して、帳票画像データに含まれる色情報を変換する処理部である。
第２色変換処理部１３は、カラープロファイル記憶部３２から内部カラープロファイル３２２を抽出する。また、第２色変換処理部１３は、印刷ジョブデータのページデータ毎に、帳票画像データを抽出する。この帳票画像データは、第１色変換処理部１２により、均等色空間（Ｌａｂ表色系）で表現されたものである。
次に、第２色変換処理部１３は、帳票画像データに含まれる均等色空間で表現された色を、抽出した内部カラープロファイル３２２を参照して、ＣＭＹ表色系に表現し直す。以上の処理を行うことで、第２色変換処理部１３は、印刷ジョブデータに含まれるページデータすべての帳票画像データの色をＣＭＹ表色系で表現する。
そして、第２色変換処理部１３は、このＣＭＹ表色系で色を表現し直した帳票画像データ（色変換後帳票画像データ）と、この帳票画像データを抽出したページデータとをディスプレイリスト生成部１４に出力する。
【００３９】
（ディスプレイリスト生成部１４）
ディスプレイリスト生成部１４は、帳票画像データおよびドットパターンデータから、ディスプレイリストデータを生成し、ディスプレイリスト記憶部３３に記憶させる処理部である。
ここで、ディスプレイリスト生成部１４は、第２色変換処理部１３から処理の移行を受けて、色変換後帳票画像データおよびページデータを取得した場合、ディスプレイリスト生成部１４は、第２色変換処理部１３から取得した色変換後帳票画像データおよびページデータから、色変換後帳票画像データと同じページデータに含まれるドットパターンデータを抽出する。そして、ディスプレイリスト生成部１４は、色変換後帳票画像データと、抽出したドットパターンデータとを一組として、ＤＬ（Display List）と呼ばれる中間データ（以下、ディスプレイリストデータと称する）を生成する。そして、ディスプレイリスト生成部１４は、生成したディスプレイリストデータをディスプレイリスト記憶部３３に記憶させる。
【００４０】
一方、ディスプレイリスト生成部１４が、判別処理部１１から処理の移行を受けて、印刷ジョブデータを取得した場合、ディスプレイリスト生成部１４は、印刷ジョブデータのページデータ毎に、帳票画像データおよびドットパターンデータを抽出する。そして、ディスプレイリスト生成部１４は、帳票画像データとドットパターンデータとを一組として、ディスプレイリストデータを生成し、ディスプレイリスト記憶部３３に記憶させる。
【００４１】
（画像生成部１５）
画像生成部１５は、ディスプレイリスト記憶部３３からディスプレイリストデータ（中間データ）を取得して、帳票画像データおよびドットパターンデータを組み合わせた画像を生成し、画像形成部４０において画像形成可能な所定の形式にあわせた変更を行い、画像を画像形成部４０に出力する処理部である。
【００４２】
（画面処理部１６）
画面処理部１６は、第１色変換処理部１２から、外部カラープロファイル３２１（３２１Ｂ）がない旨のデータおよび印刷ジョブデータを取得したことを契機に、カラープロファイルがない旨の情報をユーザに通知するために、図４に示すような警告画面６１０をタッチパネル６０（画面表示部６２）に表示させる。さらに、画面処理部１６は、時刻を得られるタイマ部（不図示）を用いて、警告画面６１０の表示時間を計測する。
【００４３】
この警告画面６１０には、外部カラープロファイル３２１（３２１Ｂ）の代わりに、自装置（画像形成装置１Ａ）の内部カラープロファイル３２２を用いて画像形成処理を続行させる指示である続行ボタン６１１、または、画像形成処理を終了させる指示であるキャンセルボタン６１２を表示させ、ユーザに選択を促す情報も表示する。
【００４４】
ここで、警告画面６１０において、ユーザによりタッチパネル６０（操作入力部６１）を介して続行ボタン６１１が選択された場合には、画面処理部１６は、ディスプレイリスト処理部１４に処理を移行する。そして、ディスプレイリスト生成部１４は、判別処理部１１から印刷ジョブデータを取得した場合と同じ処理を行う。
【００４５】
一方、警告画面６１０において、ユーザによりタッチパネル６０（操作入力部６１）を介してキャンセルボタン６１２が選択された場合には、画面処理部１６は、画像形成処理を終了（中断）する。
また、警告画面６１０の表示時間が所定時間を超えて表示された場合には、画面処理部１６は、図５に示すようなエラー表示画面６２０をタッチパネル６０（画面表示部６２）に表示させ、画像形成処理を終了（中断）する。エラー表示画面６２０の戻るボタン６２１を選択することにより、不図示の初期画面が表示される。
【００４６】
（画像形成部４０）
画像形成部４０は、画像生成部１５から取得した画像を、紙などの媒体に形成する処理部である。例えば、画像形成部４０は、図示を省略した露光装置や現像装置、定着器、感光ドラム、転写ローラ、用紙搬送ローラ、それらを駆動する駆動部を備え、露光装置により形成された静電潜像から現像されたトナー像を搬送された記録媒体に転写（形成）する。
【００４７】
［画像形成処理］
次に、画像形成装置１（１Ａ）が実行する画像形成処理について、図６を用いて説明する。ここで、画像形成装置１は、画像データ送信装置２から送信される画像データを通信部２０が受信し、受信データ記憶部３１に記憶させる。ここで、通信部２０が、記憶部３０（受信データ記憶部３１）に印刷ジョブデータを記憶させたことの記憶完了通知を制御部１０（判別処理部１１）に出力したことを契機に、画像形成処理（図６）を実行する。
【００４８】
まず、判別処理部１１は、通信部２０から記憶完了通知を取得し（ステップＳ１０１）、その記憶完了通知に基づき、受信データ記憶部３１から印刷ジョブデータを取得する（ステップＳ１０２）。
そして、判別処理部１１は、図７〜図８に示す色変換処理を実行開始する（ステップＳ１０３）。この色変換処理については、後記する。
【００４９】
その後、画像生成部１５は、ディスプレイリスト記憶部３３にからディスプレイリストデータを取得し（ステップＳ１０４）、ディスプレイリストデータから画像を生成する（ステップＳ１０５）。画像生成部１５は、生成した画像を画像形成部４０に出力する。
画像形成部４０は、画像生成部１５から取得した画像を媒体に形成する（ステップＳ１０６）。そして、画像形成装置１は、画像形成処理を終了する。
【００５０】
［色変換処理］
次に、画像形成装置１（１Ａ）が実行する色変換処理について、図７〜図８を用いて説明する。
まず、判別処理部１１は、受信データ記憶部３１から取得した印刷ジョブデータに含まれるジョブ情報を抽出する（ステップＳ２０１）。そして、抽出したジョブ情報から、印刷ジョブデータにドットパターンデータが含まれているか否かを判定する（ドットパターン含有判定，ステップＳ２０２）。ここでは、ジョブ情報に、「ドットパターン有」と記述されているか否かで判定する。
【００５１】
ジョブ情報に「ドットパターン無」と記述されていた場合（ステップＳ２０２，Ｎｏ）、判別処理部１１は、既存画像処理部１７に処理を移行する（ステップＳ２０３）。これにより、既存画像処理部１７は、既存画像処理を実行開始する（ステップＳ９００）。
【００５２】
一方、ジョブ情報に「ドットパターン有」と記述されていた場合（ステップＳ２０２，Ｙｅｓ）、判別処理部１１は、受信データ記憶部３１から取得した印刷ジョブデータに含まれる調色情報を抽出する（ステップＳ２０４）。そして、抽出した調色情報から、印刷ジョブデータに含まれる帳票画像データが、画像形成装置１の内部カラープロファイル３２２により調色されたものであるか否かを判定する（カラープロファイル判定，ステップＳ２０５）。ここでは、調色情報に記述されたカラープロファイルの情報が、内部カラープロファイル３２２であるか否かで判定する。
内部カラープロファイル３２２である場合（ステップＳ２０５，Ｙｅｓ）、判別処理部１１は、ディスプレイリスト生成部１４に処理を移行する（ステップＳ２１７）。
【００５３】
一方、内部カラープロファイル３２２ではない場合（ステップＳ２０５，Ｎｏ）、判別処理部１１は、第１色変換処理部１２に処理を移行する。このとき、判別処理部１１は、調色情報に記述されたカラープロファイル（外部カラープロファイル３２１（３２１Ｂ））の情報を含む印刷ジョブデータを、第１色変換処理部１２に出力する。
【００５４】
第１色変換処理部１２は、調色情報に記述された外部カラープロファイルが、カラープロファイル記憶部３２に記憶されているか検索し（ステップＳ２０６）、その外部カラープロファイルが記憶されているか否かを判定する（ステップＳ２０７）。
【００５５】
外部カラープロファイルが記憶されていない場合（ステップＳ２０７，Ｎｏ）、第１色変換処理部１２は、画面処理部１６に処理を移行する（ステップＳ２０８）。これにより、画面処理部１６は、画面表示処理動作を実行開始する（ステップＳ３００）。画面処理部１６が実行する画面表示処理については、図９を用いて後記する。
【００５６】
一方、外部カラープロファイルが記憶されている場合（ステップＳ２０７，Ｙｅｓ）、第１色変換処理部１２は、調色情報に記述されたカラープロファイルの情報に該当する外部カラープロファイル３２１（３２１Ｂ）を、カラープロファイル記憶部３２から抽出する（ステップＳ２０９）。
【００５７】
第１色変換処理部１２は、印刷ジョブデータに含まれるページデータから帳票画像データを抽出し（ステップＳ２１０，図８）、その帳票画像データに含まれる色を、外部カラープロファイル３２１（３２１Ｂ）で『ＣＭＹ表色系』から『均等色空間』に色変換する（ステップＳ２１１）。
【００５８】
第２色変換処理部１３は、内部カラープロファイル３２２を、カラープロファイル記憶部３２から抽出する（ステップＳ２１２）。
第２色変換処理部１３は、第１色変換処理部１２により色変換された後の帳票画像データに含まれる色を、抽出した内部カラープロファイル３２２で『均等色空間』から『ＣＭＹ表色系』に色変換する（ステップＳ２１３）。
【００５９】
ディスプレイリスト生成部１４は、第２色変換処理部１３により色変換された後の帳票画像データと、その帳票画像データと同じページデータに含まれるドットパターンデータとを一組のデータとしたディスプレイリストデータを生成する（ステップＳ２１４）。その後、生成したディスプレイリストデータをディスプレイリスト記憶部３３に記憶させる（ステップＳ２１５）。
【００６０】
次に、ディスプレイリスト生成部１４は、印刷ジョブデータに含まれるすべての帳票画像データが色変換されたか否かを判定する（ステップＳ２１６）。まだ色変換していない帳票画像データがあれば（ステップＳ２１６，Ｎｏ）、ステップＳ２１０の処理を再度行う。
一方、印刷ジョブデータに含まれるすべての帳票画像データの色変換が済んでいる場合（ステップＳ２１６，Ｙｅｓ）、ディスプレイリスト生成部１４は、色変換処理を終了する。これにより、図６のステップＳ１０４が実行される。
【００６１】
ここで、ステップＳ２０５の処理で、調色情報に記述されたカラープロファイルの情報が内部カラープロファイル３２２であり（ステップＳ２０５，Ｙｅｓ）、ディスプレイリスト生成部１４が判別処理部１１から処理の移行を受けた場合、ディスプレイリスト生成部１４は、第１色変換処理部１２は、印刷ジョブデータに含まれるページデータから帳票画像データおよびドットパターンデータを抽出する（ステップＳ２１７）。
【００６２】
ディスプレイリスト生成部１４は、帳票画像データおよびドットパターンデータを一組のデータとしたディスプレイリストデータを生成する（ステップＳ２１８）。その後、生成したディスプレイリストデータをディスプレイリスト記憶部３３に記憶させる（ステップＳ２１９）。
【００６３】
次に、ディスプレイリスト生成部１４は、印刷ジョブデータに含まれるすべての帳票画像データを抽出したか否かを判定する（ステップＳ２２０）。まだ抽出していない帳票画像データがあれば（ステップＳ２２０，Ｎｏ）、ステップＳ２１７の処理を再度行う。
一方、印刷ジョブデータに含まれるすべての帳票画像データの抽出が済んでいる場合（ステップＳ２２０，Ｙｅｓ）、ディスプレイリスト生成部１４は、色変換処理を終了する。これにより、図６のステップＳ１０４が実行される。
【００６４】
［画像表示処理］
次に、画像形成装置１が実行する画像表示処理について、図９を用いて説明する。
まず、画面処理部１６は、第１色変換処理部１２から、外部カラープロファイルがない旨のデータおよび印刷ジョブデータを取得する（ステップＳ３０１）。このことを契機に、画面処理部１６により画像表示処理が実行される。
【００６５】
画面処理部１６は、警告画面６１０（図４）を画面表示部６２に表示させる（ステップＳ３０２）。このとき、画面処理部１６は、時間を計測するタイマ部（不図示）を用いて警告画面６１０の表示時間を計測する（ステップＳ３０３）。そして、画面処理部１６は、操作入力部６１により所定時間内にボタンが選択されたことを検出できたか否かを判定する（ステップＳ３０４）。
【００６６】
画面処理部１６が所定時間内にボタンが選択されたことを検出できなかった場合（ステップＳ３０４，Ｎｏ）、画面処理部１６は、エラー表示画面６２０を画面表示部６２に表示させる（ステップＳ３０５）。
そして、ユーザにより操作入力部６１が操作されて、画面表示部６２に表示されたエラー表示画面６２０の「戻る」ボタンが押下されることで、画面処理部１６は、画像形成処理を終了させる処理を行う（ステップＳ３０６）。
【００６７】
一方、画面処理部１６が所定時間内にボタンが選択されたことを検出できた場合（ステップＳ３０４，Ｙｅｓ）、画面処理部１６は、選択されたボタンの判定を行う（ステップＳ３０７）。
【００６８】
ここで、警告画面６１０にて選択されたボタンが続行ボタン６１１である場合（ステップＳ３０７，続行ボタン６１１）、画面処理部１６は、ディスプレイリスト生成部１４に処理を移行する（ステップＳ３０８）。これにより、図９のステップＳ２１７の処理が行われる。
【００６９】
一方、警告画面６１０にて選択されたボタンがキャンセルボタン６１２である場合（ステップＳ３０７，キャンセルボタン）、画面処理部１６は、画像形成処理を終了させる処理を行う（ステップＳ３０６）。そして、画像表示処理を終了する。
【００７０】
［既存画像処理］
ここで、図７および図８にて、ステップＳ９００として記載した「既存画像処理」は、カラープロファイル記憶部３２に記憶された既存カラープロファイル３２０を抽出して、ＲＧＢで表現された色を、既存カラープロファイル３２０を参照して、ＣＭＹＫに表現し直す処理である。一般的な処理であるため、詳細な説明を省略する。
【００７１】
以上の構成を備えることにより、第１の実施形態の画像形成装置１は、通信部２０（取得部）が取得した画像データを含む印刷ジョブデータに含まれる帳票画像データ（有彩色現像剤像データ）を、『ＣＭＹ表色系』（有彩色現像剤像データ）から『均等色空間』（均等色空間データ）に色変換する外部カラープロファイル（他装置カラープロファイル）と、『均等色空間』（均等色空間データ）から『ＣＭＹ表色系』（有彩色現像剤像変換データ）に色変換する内部カラープロファイル（自装置カラープロファイル）とを用いて、帳票画像データの色変換を行う。
よって、通信部２０（取得部）が取得した印刷ジョブデータ（画像データ）に含まれる、自装置のカラープロファイルで色変換された帳票画像データ（有彩色現像剤像データ）と、第１の実施形態の画像形成装置１により生成された色変換後の帳票画像データ（有彩色現像剤像変換データ）とは、略同一である。
そのため、第１の実施形態の画像形成装置１によれば、第１の実施形態の画像形成装置１が色変換後の帳票画像データ（有彩色現像剤像変換データ）から記録媒体に形成した画像（有彩色現像）は、通信部２０（取得部）が取得した印刷ジョブデータ（画像データ）に含まれる、自装置のカラープロファイルで色変換された帳票画像データ（有彩色現像剤像データ）から記録媒体に形成した画像（有彩色現像）と略同一の色で、画像を形成することができる。
【００７２】
また、第１の実施形態の画像形成装置１は、自装置以外のカラープロファイルで色変換された帳票画像データ（有彩色現像剤像データ）を通信部２０（取得部）が取得しても、適合する外部カラープロファイル３２１（他装置カラープロファイル）をカラープロファイル記憶部３２から抽出して、外部カラープロファイル３２１（他装置カラープロファイル）および内部カラープロファイル（自装置カラープロファイル）を用いて、色変換した帳票画像データ（有彩色現像剤像変換データ）から記録媒体に画像（有彩色現像剤像）を形成する。
これにより、第１の実施形態の画像形成装置１によれば、他装置が、当該他装置のカラープロファイル（他装置カラープロファイル）で色変換された帳票画像データ（有彩色現像剤像データ）を取得して、その帳票画像データ（有彩色現像剤像データ）から記録媒体に形成する画像（有彩色現像剤像）と、略同一の有彩色現像剤像を記録媒体に形成することができる。
【００７３】
また、第１の実施形態の画像形成装置１は、一旦「ＣＭＹ（有彩色現像剤像データ）」から「Ｌａｂ（均等色空間データ）」に色変換する外部カラープロファイル（他装置カラープロファイル）と、「Ｌａｂ（均等色空間データ）」から「ＣＭＹ（有彩色現像剤像変換データ）」に色変換する内部カラープロファイル（自装置カラープロファイル）とを用いて、画像を形成している。このように、２種類のカラープロファイルを用いる場合、画像形成装置１の数（ｎは自然数）に対して、画像形成装置１ごとに、自装置に記憶する１つの内部カラープロファイルと、他装置に記憶する１種類の外部カラープロファイルとを用意する必要がある。そして、各画像形成装置１は、それぞれ、１つの内部カラープロファイルと、(ｎ−１)個（他装置の数）の外部カラープロファイルとを、記憶部３０（カラープロファイル記憶部３２）に記憶させればよい。すなわち、画像形成システム内に、新たに(ｎ＋１)台目の画像形成装置１が加わっても、自装置に記憶する１つの内部カラープロファイルと、他装置に記憶する１種類の外部カラープロファイルとの、２種類のカラープロファイルを用意すればよい。
これに対して、「ＣＭＹ（有彩色現像剤像データ）」から直接「ＣＭＹ（有彩色現像剤像変換データ）」に色変換するカラープロファイルを用いる場合、自装置の画像形成装置と他装置の画像系装置との組み合わせの数だけ、つまり、(ｎ−１)種類（他装置の数）のカラープロファイルを用意する必要がある。すなわち、画像形成システム内に、新たに画像形成装置Ｑn+1が加わることにより、ｎ種類のカラープロファイルを用意する必要がある。
以上のように、第１の実施形態の画像形成装置１によれば、外部カラープロファイル（他装置カラープロファイル）と、内部カラープロファイル（自装置カラープロファイル）とを用いることで、画像形成装置が多数備わる大規模な画像形成システムであるほど、ユーザ（システム管理者）がカラープロファイルを生成する手間を省くことができる。
【００７４】
＜第２の実施形態＞
［画像形成装置の構成］
図１０は、第２の実施形態に係る画像形成装置の構成を示す図である。
第２の実施形態に係る画像形成装置１０１は、第１の実施形態に係る画像形成装置１とほぼ同じ構成であるが、以下の点で構成が異なる。第１に、カラープロファイル記憶部３２の代わりに、カラープロファイル記憶部１３２を備える。第２に、第１色変換処理部１２の変わりに、外部カラープロファイル抽出部１１２を備えて、制御部１１０を構成する。第３に、画面処理部１６およびタッチパネル６０を備えなくてもよい。
【００７５】
ここで、第２の実施形態における画像データ送信装置２は、図１１に示すような、カラープロファイルデータ（外部カラープロファイル３２１）が含まれる印刷ジョブデータを送信するものである。
《印刷ジョブデータ》
図１１に示すように、印刷ジョブデータには、ヘッダデータとカラープロファイルデータと１以上のページデータとが含まれる。ヘッダデータおよびページデータについては、第１の実施形態における画像データ送信装置２が送信した印刷ジョブデータ（図３）に含まれるデータと同じであるため、ここでは説明を省略する。
この印刷ジョブデータにカラープロファイルデータとして含まれる外部カラープロファイル３２１は、第１の実施形態の画像形成装置１が備えるカラープロファイル記憶部３２に記憶された外部カラープロファイル３２１と同じものであるため、ここでは説明を省略する。
【００７６】
再び図１０の説明に戻る。
（カラープロファイル記憶部１３２）
記憶部３０が備えるカラープロファイル記憶部１３２は、予めカラープロファイルを記憶する記憶部であり、自装置（画像形成装置１Ａ）の既存カラープロファイル３２０の他に、図１の「機種αカラープロファイル」に該当する内部カラープロファイル３２２とが記憶されている。第１の実施形態に係る画像形成装置１が備えるカラープロファイル記憶部１３２と異なり、外部カラープロファイル３２１が記憶されていない。
【００７７】
（外部カラープロファイル抽出部１１２）
画像形成装置１０１全体を制御する制御部１１０が備える外部カラープロファイル抽出部１１２は、印刷ジョブデータに含まれる外部カラープロファイル３２１を抽出する処理部である。
まず、外部カラープロファイル抽出部１１２は、印刷ジョブデータに含まれる外部カラープロファイル３２１を抽出する。さらに、外部カラープロファイル抽出部１１２は、印刷ジョブデータのページデータ毎に、帳票画像データを抽出する。
次に、外部カラープロファイル抽出部１１２は、帳票画像データに含まれるＣＭＹ表色系で表現された色を、抽出した外部カラープロファイル３２１を参照して、均等色空間（Ｌａｂ表色系）に表現し直すという色変換を行う。以上の処理を行うことで、外部カラープロファイル抽出部１１２は、印刷ジョブデータに含まれるページデータすべての帳票画像データの色を均等色空間で表現する。
そして、外部カラープロファイル抽出部１１２は、この均等色空間で色を表現し直した帳票画像データと、この帳票画像データを抽出したページデータとを第２色変換処理部１３に出力する。
【００７８】
［色変換処理］
第２の実施形態に係る画像形成装置１０１が実行する色変換処理について、図１２を用いて説明する。ここで、第２の実施形態に係る画像形成装置１０１は、第１の実施形態に係る画像形成装置１と、画像形成処理（図６）および画像表示処理（図９）が共通するため、それらの処理の説明を省略する。色変換処理（図７〜８）においても、ステップＳ２０１〜Ｓ２０５およびステップＳ２１２〜Ｓ２２０の処理が共通するため、それらの処理の説明を省略する。
【００７９】
ステップＳ２０５にて、判別処理部１１は、カラープロファイル判定を行い、印刷ジョブデータに含まれる調色情報から、印刷ジョブデータに含まれる帳票画像データが、画像形成装置１の内部カラープロファイル３２２により調色されたものであるか否かを判定する。
内部カラープロファイル３２２ではない場合（ステップＳ２０５，Ｎｏ）、判別処理部１１は、外部カラープロファイル抽出部１１２に処理を移行する。このとき、判別処理部１１は、調色情報に記述されたカラープロファイルデータ（外部カラープロファイル３２１（３２１Ｂ））の情報を含む印刷ジョブデータを、外部カラープロファイル抽出部１１２に出力する。
【００８０】
外部カラープロファイル抽出部１１２は、外部カラープロファイル３２１（３２１Ｂ）を印刷ジョブデータから抽出する（ステップＳ１２０９，図１２）。そして、外部カラープロファイル抽出部１１２は、印刷ジョブデータに含まれるページデータから帳票画像データを抽出し（ステップＳ１２１０，図１３）、その帳票画像データに含まれる色を、外部カラープロファイル３２１（３２１Ｂ）で『ＣＭＹ表色系』から『均等色空間』に色変換する（ステップＳ１２１１）。そして、外部カラープロファイル抽出部１１２は、第２色変換処理部１３に処理を移行する。
【００８１】
第２の実施形態の画像形成装置１０１によれば、第１の実施形態に係る画像形成装置１と同様の効果を有する。さらに、第２の実施形態の画像形成装置１０１によれば、外部カラープロファイル３２１を予め記憶させる必要がないため、第１の実施形態に係る画像形成装置１より利便性が高い。
例えば、図１に示すような、画像データ送信装置２と、複数の画像形成装置１（１Ａ，１Ｂ，１Ｃ）とで構成される画像形成システムにおいて、新たに画像形成装置１Ｘを接続させたときに、第１の実施形態では、画像形成装置１Ｘの外部カラープロファイル３２１Ｘを、画像形成装置１（１Ａ，１Ｂ，１Ｃ）それぞれの記憶部３０（カラープロファイル記憶部３２）に記憶させることを予め行う必要があった。
【００８２】
本発明は、前記した実施形態に限定されることなく、本発明の要旨を逸脱しない範囲で種々の変更や変形を行うことができる。
【００８３】
例えば、プロファイルデータがない場合、プロファイルデータがない旨の警告を、画面表示部６２（図１）に表示させて、印刷ジョブデータを破棄するか、または、そのまま画像形成部４０に画像を形成させるかを、ユーザに選択させてもよい。
【００８４】
また、第１の実施形態および第２の実施形態にて、均等色空間として、Ｌａｂ表色系を用いているが、Ｌｕｖ表色系であってもよい。
【符号の説明】
【００８５】
１（１Ａ，１Ｂ，１Ｃ，・・・）  画像形成装置
２      画像データ送信装置
１０    制御部
１１    判別処理部
１２    第１色変換処理部
１３    第２色変換処理部
１４    ディスプレイリスト生成部（合成処理部）
１５    画像生成部
１６    画面処理部
１７    既存画像処理部
２０    通信部（取得部）
３０    記憶部
３１    受信データ記憶部
３２    カラープロファイル記憶部
３３    ディスプレイリスト記憶部
４０    画像形成部
６０    タッチパネル
６１    操作入力部
６２    画面表示部
３２０  既存カラープロファイル
３２１（３２１Ｂ，３２１Ｃ，・・・）  外部カラープロファイル（他装置カラープロファイル）
３２２  内部カラープロファイル（自装置カラープロファイル）
【図１】
0005452804.tif 000002
【図２】
0005452804.tif 000003
【図３】
0005452804.tif 000004
【図４】
0005452804.tif 000005
【図５】
0005452804.tif 000006
【図６】
0005452804.tif 000007
【図７】
0005452804.tif 000008
【図８】
0005452804.tif 000009
【図９】
0005452804.tif 000010
【図１０】
0005452804.tif 000011
【図１１】
0005452804.tif 000012
【図１２】
0005452804.tif 000013
【図１３】
0005452804.tif 000014